【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体に取り付けられた第１の前側部材及び第１の後側部材と、
前記第２の支持構造体に取り付けられた第２の前側部材及び第２の後側部材と、
前記第１の支持構造体及び前記第２の支持構造体に取り付けられた第２の水平バーと、
前記第１の支持構造体及び前記第２の支持構造体に取り付けられた第３の水平バーと、
前記第２の水平バー及び前記第３の水平バーに取り付けられた後板と、
前記後板に取り付けられた床板と、
を備え、前記第１の前側部材及び前記第１の後側部材、並びに前記第２の前側部材及び前記第２の後側部材は、前記装置を壁部に取り付けることができるように取り外し可能である、
ことを特徴とするポータブルエクササイズ装置。
【請求項２】
前記第１のネック部は、前記第１の支持構造体内に摺動自在に埋め込まれ、前記第２のネック部は、前記第２の支持構造体内に摺動自在に埋め込まれる、
請求項１に記載の装置。
【請求項３】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体に取り付けられた第１の前側部材及び第１の後側部材と、
前記第２の支持構造体に取り付けられた第２の前側部材及び第２の後側部材と、
前記第１の支持構造体に取り付けられて前記第１のネック部に力を加える第１の定荷重ばねと、
前記第２の支持構造体に取り付けられて前記第２のネック部に力を加える第２の定荷重ばねと、
を備え、
前記第１の前側部材及び前記第１の後側部材、並びに前記第２の前側部材及び前記第２の後側部材は、前記装置を壁部に取り付けることができるように取り外し可能であり、
前記第１のネック部は、前記第１の支持構造体内に摺動自在に埋め込まれ、前記第２のネック部は、前記第２の支持構造体内に摺動自在に埋め込まれる、
ことを特徴とするポータブルエクササイズ装置。
【請求項４】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記支持構造体に取り付けられた第１のブラケットに取り付けられ、該第１のブラケットによって動きを制限される第１の前側部材、及び前記第１の支持構造体に取り付けられた第２のブラケットに取り付けられ、該第２のブラケットによって動きを制限される第１の後側部材と、
前記第２の支持構造体に取り付けられた第３のブラケットに取り付けられ、該第３のブラケットによって動きを制限される第２の前側部材、及び前記第２の支持構造体に取り付けられた第４のブラケットに取り付けられ、該第４のブラケットによって動きを制限される第２の後側部材と、
前記第１の支持構造体及び前記第２の支持構造体に取り付けられた第２の水平バーと、
前記第１の支持構造体及び前記第２の支持構造体に取り付けられた第３の水平バーと、
頂部が前記第２の水平バーに取り付けられ、底部が前記第３の水平バーに取り付けられた後板と、
前記後板に取り付けられた床板と、
を備えることを特徴とするポータブルエクササイズ装置。
【請求項５】
前記第１の前側部材は、第１のピンによって前記第１のブラケットに取り付けられ、前記第１の後側部材は、第２のピンによって前記第２のブラケットに取り付けられ、前記第２の前側部材は、第３のピンによって前記第３のブラケットに取り付けられ、前記第２の後側部材は、第４のピンによって前記第４のブラケットに取り付けられる、
請求項４に記載の装置。
【請求項６】
前記第１の支持構造体の底部と床との間の距離は、少なくとも１．８０インチであり、前記第２の支持構造体の底部と床との間の距離は、少なくとも１．８０インチである、
請求項４に記載の装置。
【請求項７】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２のバーと、
前記第２のバーに対して実質的に平行な第３のバーと、
前記第２のバーに取り付けられた後板と、
前記後板にヒンジで取り付けられた床板と、
を備え、
前記後板は、前記第２のバーと前記第３のバーとが相対的に動くのを防ぎ、
前記ヒンジは、垂直方向に移動可能であり、前記床板は、前記後板に対して実質的に平行な位置と、前記後板に対して実質的に垂直な位置との間で動くことができる、
ことを特徴とするポータブルエクササイズ装置。
【請求項８】
前記ヒンジは、ばね付勢される、
請求項７に記載の装置。
【請求項９】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２の水平バーと、
前記第２の水平バー及び前記第１の水平バーに対して実質的に平行な第３の水平バーと、
前記第２の水平バーに取り付けられた後板と、
前記後板にヒンジで取り付けられた床板と、
前記第１の支持構造体に取り付けられた第１の脚部と、
前記第２の支持構造体に取り付けられた第２の脚部と、
を備え、前記床板は、前記第１の脚部を内側に折り畳んだ時に前記第１の脚部を磁力によって引き付ける第１の磁石と、前記第２の脚部を内側に折り畳んだ時に脚部を磁力によって前記第２の引き付ける第２の磁石とを含む、
ことを特徴とするポータブルエクササイズ装置。
【請求項１０】
前記第１の磁石は、前記床板内の第１のボアに埋め込まれ、前記第２の磁石は、前記床板内の第２のボアに埋め込まれる、
請求項９に記載の装置。
【請求項１１】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２の水平バーと、
前記第１の水平バー及び前記第２の水平バーに対して実質的に平行な第３の水平バーと、
前記第２の水平バーに取り付けられた後板と、
前記後板にヒンジで取り付けられた床板と、
前記第１の支持構造体に取り付けられた第１の脚部と、
前記第２の支持構造体に取り付けられた第２の脚部と、
前記床板を受け取るポケットを含むマットと、
を備えることを特徴とするポータブルエクササイズ装置。
【請求項１２】
前記マットは前記後板を覆う、
請求項１１に記載の装置。
【請求項１３】
第１の端部及び第２の端部を有する第１の水平バーと、
前記第１の水平バーに巻き回されて第１のボルトによって固定された第１のバンドと、
前記第１のバンドを貫通して前記第１の水平バーに埋め込まれた第１のねじと、
を含む第１のクランプ装置によって前記第１の端部に取り付けられた第１のネック部と。
【請求項１４】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２のバーと、
前記第２のバーに対して実質的に平行な第３のバーと、
前記第２のバーに取り付けられた後板と、
前記後板にヒンジで取り付けられた床板と、
前記第１の支持構造体に取り付けられた第１の脚部と、
前記第２の支持構造体に取り付けられた第２の脚部と、
を備え、前記後板は、前記第２のバーと前記第３のバーとが相対的に動くのを防ぐ、
ことを特徴とするポータブルエクササイズ装置。
【請求項１５】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２の水平バーと、
前記第１の水平バー及び前記第２の水平バーに対して実質的に平行な第３の水平バーと、
前記第２の水平バーに取り付けられた後板と、
前記後板にヒンジで取り付けられた床板と、
前記第１の支持構造体に取り付けられた第１の脚部と、
前記第２の支持構造体に取り付けられた第２の脚部と、
を備え、前記第１の脚部はフックを含み、前記第２の脚部はコネクタを含み、前記フックは、前記コネクタに結合して、前記第１の脚部及び前記第２の脚部を折り畳み位置に保持することができる、
ことを特徴とするポータブルエクササイズ装置。
【請求項１６】
前記第１のネック部は、第１のカラー機構によって前記第１の支持構造体に固定され、前記第２のネック部は、第２のカラー機構によって前記第２の支持構造体に固定される、
請求項１４に記載の装置。
【請求項１７】
前記第１のネック部は、第１の継手によって前記第１の水平バーに取り付けられ、前記第２のネック部は、第２の継手によって前記第１の水平バーに取り付けられる、
請求項１４に記載の装置。
【請求項１８】
前記第１のネック部は、前記第１の支持構造体内に摺動自在に埋め込まれ、前記第２のネック部は、前記第２の支持構造体内に摺動自在に埋め込まれる、
請求項１４に記載の装置。
【請求項１９】
前記第１の脚部に結合された第１の格納式ホイールと、前記第２の脚部に結合された第２の格納式ホイールとをさらに備える、
請求項１４に記載の装置。
【請求項２０】
前記水平バーの前記第１の端部は、前記第１のネック部によって覆われ、前記水平バーの前記第２の端部は、前記第２のネック部によって覆われる、
請求項１４に記載の装置。